(57)【要約】【目的】液封防振装置における広範囲の周波数域において、共振させるとともに、比較的大きな位相を発生させ、かつ振動周波数に追随変化させる。【構成】エンジンマウント小組体１を第１の取付部材２，第２の取付部材３，インシュレータ４で構成し、ブラケット５へ圧入して一体化する。仕切壁７にはホールオリフィス１３を設け、主液室６を囲む側壁に可変内圧吸収膜２７を設け、これと主液室６の間に遊び膜２５を設ける。遊び膜は２５は予めたるまされており、所定の内圧増加までは弾性膜として作用しない。可変内圧吸収膜２７はアクチュエータロッド２８を介してモーター３３により、膜張力を変化させて内圧吸収能を多段階に変化させ、これによって拡張バネを対応変化させる。拡張バネを大きくすると、ホールオリフィス１３による共振周波数を大きくし、同時に発生する位相も大きく変化させる。【選択図】図１
2004324825.tif 000002
【特許請求の範囲】
【請求項１】
振動源側へ取付けられる第１の取付部材と、振動受側へ取付けられる第２の取付部材と、これらの間に介在して振動を吸収するインシュレータと、このインシュレータが壁の一部をなす液室とを備え、この液室を主液室及び副液室に区画して共振オリフィスを介して連絡した液封防振装置において、
前記主液室に臨んで所定の開口径を有しかつ弾性膜にて閉じられることにより、所定の周波数にて液柱共振を発生するホールオリフィスを設けるとともに、
前記主液室を囲む璧部の一部に弾性変形して内圧変化を吸収する弾性膜からなる可変内圧吸収膜を設け、この可変内圧吸収膜の内圧吸収能を連続的又は多段階に変化させることにより、前記ホールオリフィスにおける液柱共振の周波数を連続的又は多段階に発生させるようにしたことを特徴とする液封防振装置。
【請求項２】
前記可変内圧吸収膜と主液室の間を仕切る弾性膜からなり、初期状態でたるませた遊び膜を設けたことを特徴とする請求項１に記載した液封防振装置。
【請求項３】
前記遊び膜と可変内圧吸収膜との間を液体が封入された内圧調整室とし、この内圧調整室に臨む前記可変内圧吸収膜の面積よりも、前記遊び膜の主液室に臨む面積を大きくしたことを特徴とする請求項２に記載した液封防振装置。
【請求項４】
エンジン振動の防振用に用いられるエンジンマウントに適用したことを特徴とする請求項１に記載した液封防振装置。
【請求項５】
前記ホールオリフィスは発進時のエンジン振動に合わせて共振周波数をチューニングしてあることを特徴とする請求項４に記載した液封防振装置。
【請求項６】
前記可変内圧吸収膜に対する内圧吸収能可変手段を備え、この内圧吸収能可変手段はエンジンの回転数に応じて内圧吸収能を変化させることを特徴とする請求項４に記載した液封防振装置。
【発明の詳細な説明】
【０００１】
【発明の属する技術分野】
この発明は液封防振装置に係り、特に車両のエンジンマウントに用いて発進時等における振動伝達を低減させることができるようにしたものに関する。
【０００２】
【従来の技術】
振動源側へ取付けられる第１の取付部材と、振動受側へ取付けられる第２の取付部材と、これらの間に介在して振動を吸収するインシュレータと、このインシュレータが壁の一部をなす液室とを備え、この液室を主液室及び副液室に区画してオリフィス通路を介して連絡するとともに、主液室を囲む璧部の一部に内圧吸収膜を設け、この内圧吸収膜の膜剛性を剛又は柔に切り換えて変化させるようにした内圧吸収型液封エンジンマウントは公知である。この形式のエンジンマウントにおいては、内圧吸収膜を柔にすれば、内圧変化を吸収して低動バネとし、剛にすればエンジンマウントにおける内部圧力の変化により発生するバネである拡張バネを高めてオリフィス通路に対する流量を増大させ、これによって共振効率を大きくして振動伝達を少なくするようになっている。
【０００３】
また、主液室と副液室を区画する仕切壁に開口を設けてこれを弾性膜で覆うことにより所定の周波数で液柱共振する共振オリフィス（この形式をホールオリフィスと呼ぶことにする）を設けることも公知である。なお、ホールオリフィスの共振周波数は拡張バネに比例して変化することが知られている。すなわち、ホールオリフィスの共振周波数をｆｗ、拡張バネをＫｆとしたとき、
ｆｗ∝（Ｋｆ）１／２
となっている。
【０００４】
【特許文献１】特開２００３−４０９０号公報
【０００５】
【発明が解決しようとする課題】
ところで、内圧吸収膜を設けた形式であっても、その調整によって対応できる周波数域は限られたものである。例えば、乗り心地に影響する通常走行時における１０Ｈｚ前後の低周波小振幅の振動や、約２０Ｈｚ付近のアイドル周波数域に対応できる程度であって、それ以上高周波数側となる、例えば、約６０Ｈｚ以上の発進時のエンジン振動域には、共振オリフィスとしてダンピングオリフィス通路やアイドルオリフィス通路を設けた場合であっても、これらとの組合せでは有効に対処できない。
【０００６】
また、内圧吸収膜を備えるとともに，発進オリフィスとして前記ホールオリフィスを追加するものもあるが、この場合にも予め設定されたホールオリフィスの共振周波数を可変内圧吸収膜の剛・柔切り換えに伴って高低いずれかへ変えることができるだけである。しかも、このような高周波数域では比較的広範囲の周波数にわたる制御が要求されるが、上記前記従来例のホールオリフィスでは予め可変内圧吸収膜を剛又は柔の状態にしたときのチューニング周波数のみで調整できるだけであり、広範囲の周波数域で調整することはできない。
【０００７】
さらに、車体フレームの曲げ振動のように、ベクトル成分を有する振動に対しては、位相を制御しなければならないが、このような位相を簡単な構造で自由に制御し、位相を広範囲に変化させてベクトル成分の振動を的確に遮断することも望まれるが、このようなことは実現できていない。
そこで、本願発明は比較的簡単な構造で広範囲の周波数域にて位相を変化させて制御できるようにすることを目的とする。
【０００８】
【課題を解決するための手段】
上記課題を解決するため本願の液封防振装置に係る請求項１は、振動源側へ取付けられる第１の取付部材と、振動受側へ取付けられる第２の取付部材と、これらの間に介在して振動を吸収するインシュレータと、このインシュレータが壁の一部をなす液室とを備え、この液室を主液室及び副液室に区画して共振オリフィスを介して連絡した液封防振装置において、
前記主液室に臨んで所定の開口径を有しかつ弾性膜にて閉じられることにより、所定の周波数にて液柱共振を発生するホールオリフィスを設けるとともに、
前記主液室を囲む璧部の一部に弾性変形して内圧変化を吸収する弾性膜からなる可変内圧吸収膜を設け、この可変内圧吸収膜の内圧吸収能を連続的又は多段階に変化させることにより、前記ホールオリフィスにおける液柱共振の周波数を連続的又は多段階に発生させるようにしたことを特徴とする。
【０００９】
ここで内圧吸収能とは、可変内圧吸収膜の内圧を吸収できる能力であり、これが高ければ、拡張バネが低くなって低動バネ化し、逆に内圧吸収能が低ければ拡張バネが高くなって高動バネ化する。このような内圧吸収能を制御する方法はその動き易さを変化させることであり、例えば可変内圧吸収膜の膜張力を変化させる等によって実現できる。
【００１０】
請求項２は上記請求項１において、前記可変内圧吸収膜と主液室の間を仕切る弾性膜からなり、初期状態でたるませた遊び膜を設けたことを特徴とする。
【００１１】
請求項３は上記請求項２において、前記遊び膜と可変内圧吸収膜との間を液体が封入された内圧調整室とし、この内圧調整室に臨む前記可変内圧吸収膜の面積よりも、前記遊び膜の主液室に臨む面積を大きくしたことを特徴とする。
【００１２】
請求項４は上記請求項１において、エンジン振動の防振用に用いられるエンジンマウントに適用したことを特徴とする。
【００１３】
請求項５は上記請求項４において、前記ホールオリフィスは発進時のエンジン振動に合わせて共振周波数をチューニングしてあることを特徴とする。
【００１４】
請求項６は上記請求項４において、前記可変内圧吸収膜に対する内圧吸収能可変手段を備え、この内圧吸収能可変手段はエンジンの回転数に応じて内圧吸収能を変化させることを特徴とする。
【００１５】
【発明の効果】
請求項１によれば、主液室に入力する振動により、ホールオリフィスが所定の周波数にて液柱共振を発生する。このとき、可変内圧吸収膜の内圧吸収能を変化させると、拡張バネが変化し、ホールオリフィスの液柱共振周波数はこの拡張バネの変化に応じて追随変化し、同時に位相も変化する。そこで可変内圧吸収膜の内圧吸収能を連続的又は多段階に変化させると、ホールオリフィスに発生する液柱共振は、共振周波数及び位相が連続的又は多段階に追随変化して広範囲における共振周波数及び位相の制御が可能になる。特に位相の広範囲な制御によってベクトル成分の振動を吸収して振動伝達を低減させることができる。
また、ホールオリフィス及び可変内圧吸収膜はそれぞれ一つで足りるから、広範囲の制御を簡単な構造で実現できる。
【００１６】
請求項２によれば、可変内圧吸収膜と主液室の間を区画する弾性膜からなる遊び膜を初期状態でたるませて設けたので、小振幅の振動入力に対しては遊び膜は殆どばね弾性を有さず、低動バネ状態を維持できる。一方、大きな振幅の振動が入力すると、遊び膜はたるみのとれた段階からばね性を発揮する。このため、遊び膜が内圧増大分を受け止め、液体の可変内圧吸収膜側へ逃げる量を少なくするので、ダンピング特性を良好にすることができる。
【００１７】
請求項３によれば、遊び膜と可変内圧吸収膜との間を液体が封入された内圧調整室とし、この内圧調整室に臨む可変内圧吸収膜の面積よりも、遊び膜の主液室に臨む面積を大きくしたので、可変内圧吸収膜を制御する力を比較的小さくできることになり、制御を容易にすることができる。
【００１８】
請求項４によれば、エンジン振動の防振用に用いられるエンジンマウントとして適用することにより、広範囲の周波数域におけるエンジン振動の伝達を遮断できる。
【００１９】
請求項５によれば、ホールオリフィスの共振周波数を発進時のエンジン振動に合わせてチューニングしてあるので、高周波数側における比較的広範囲の発進時の振動を遮断できる。特に位相制御によって発生させた位相により、ベクトル成分による車体フレームの曲げ振動を防止できる。
【００２０】
請求項６によれば、可変内圧吸収膜に対する内圧吸収能可変手段を備え、この内圧吸収能可変手段をモーター、吸気負圧又はソレノイド等の公知駆動手段により駆動させるとともに、この駆動制御をエンジンの回転数に応じて連続的又は多段階に行うことにより、膜剛性を簡単且つエンジンの運転状態に合わせて正確に追随変化させることができる。
【００２１】
【発明の実施の形態】
以下、図面に基づいて実施形態を説明する。図１〜４は第１実施例に係り、図１は液封防振装置の全体断面図、図２は図１のＡ矢示方向図、図３は拡張バネの変化に伴う共振点の変化を示す図、図４は拡張バネの変化に伴う位相の変化を示す図である。
【００２２】
図１において、エンジンマウント小組体１は、第１の取付部材２，第２の取付部材３及びインシュレータ４を備える。第１の取付部材２は図示しないエンジン等の振動源側へ連結され、第２の取付部材３はブラケット５に嵌合され、ブラケット５は同じく図示しない車体等の振動受側へ連結される。インシュレータ４は、ゴムからなる略円錐状をなす公知の防振ゴムである。但し、ゴム及び他のエラストマー等の適宜弾性材料からなる略円錐状をなす公知の弾性防振部材とすることができ、第１の取付部材２と第２の取付部材３の間を連結一体化する。
【００２３】
第１の取付部材２，第２の取付部材３及びインシュレータ４に囲まれた内部に主液室６が形成され、ここに公知の非圧縮性の作動液が封入されている。主液室６は仕切部材７の外周部に形成されたダンピングオリフィス８を介して副液室９と連通されている。ダンピングオリフィス８は１０Ｈｚ前後の低周波数小振幅の乗り心地に影響する通常走行時の振動を高減衰で吸収する。副液室９はダイアフラム１０によって覆われている。
【００２４】
仕切部材７は樹脂等の適宜材料からなるデイスク状の部材であり、その中央部に開口１１が形成され、ここに弾性膜１２が取り付けられている。この開口１１と弾性膜１２は主液室６における液体振動により、所定周波数（本実施例の場合約６０Ｈｚ）液柱共振するホールオリフィス１３を形成してある。この共振周波数域は発進時の振動周波数域である。
【００２５】
ダンピングオリフィス８は、仕切部材７の外周部に径方向外方へ開放されて形成され、その一部に形成された入り口１４ａで主液室６と連通し、出口１４ｂで副液室９と連通する。仕切部材７の外周部におけるダンピングオリフィス８を形成する上下の部分のうち上部は主液室に臨む筒状弾性壁１５に密接してシールされる。筒状弾性壁１５はインシュレータ４と連続一体に形成された延長部であり、第２の取付部材３の内周面を覆っている。
【００２６】
第２の取付部材３は、略カップ状をなす内側筒状部材１６と外側筒状部材１７を内外に嵌合し、その間に内圧調整室１８を形成したものであり、内圧調整室１８内にも作動液が充填されている。内側筒状部材１６の表面は筒状弾性壁１５に覆われている。外側筒状部材１７の周囲全体はダイアフラム１０と連続一体の被覆１９で覆われ、仕切部材７の外周部におけるダンピングオリフィス８を形成する上下の部分のうち下部が内側筒状部材１６の下端と外側筒状部材１７の底部２０との間に挟まれてシールされる。
【００２７】
外側筒状部材１７の内部へ仕切部材７を挿入して外周部を底部２０の上に乗せてから、さらに内側筒状部材１６を挿入して下端部で仕切部材７の外周部を押さえ、内側筒状部材１６の上端部に形成されたフランジ２２ａを外側筒状部材１７の上端に形成されたフランジ２２ｂに重ねてリベット等の適宜手段で一体化することにより、エンジンマウント小組体１が組み立てられる。
【００２８】
このとき外側筒状部材１７の被覆１９の上端部と内側筒状部材１６のフランジ２２ａに密接して内圧調整室１８をシールする。その後、このエンジンマウント小組体１をブラケット５の内部へ挿入して外側筒状部材１７の底部２０をブラケット５の内面に形成された段部２１上へ乗せ、同時に外側筒状部材１７のフランジ２２ｂをブラケット５の上端部へ重ねてリベット等の適宜手段で一体化することにより、エンジンマウントが組み立てられる。
【００２９】
内側筒状部材１６の一部には開口２４が設けられ、ここに遊び膜２５が形成されている。遊び膜２５は筒状弾性部材１５の一部であり、当初のバネが主液室６の内圧に実質的に影響しない程度に低くなるよう薄く、かつ初期状態でたるませてある。但し、後述するように内圧上昇によってたるみがとれた状態では所定のバネにより内圧に影響するようになる。
【００３０】
開口２４および遊び膜２５に対応する外側筒状部材１７の一部にも開口２６が設けられ、ここに可変内圧吸収膜２７が形成されている。可変内圧吸収膜２７はゴム等の適宜弾性材料からなる弾性膜であり、主液室６の内圧に影響を与えることのできる程度のバネを有し、遊び膜２５に対してより厚肉でバネが高く、かつ大径になっている。すなわち開口２６も開口２４より大径である。
【００３１】
可変内圧吸収膜２７の中央にはアクチュエータロッド２８の頭部２９が埋設一体化されている。アクチュエータロッド２８の他端側にネジ３０が形成され、この部分はブラケット５の側部に形成された取付穴３１から外方へ突出し、駆動ナット３２へ係合する。駆動ナット３２はモーター３３によって正逆いずれかに所定量回転することにより、アクチュエータロッド２８が回転量に応じて進退動する。本実施例では主液室６側へ向かって移動することを進むとし、反対側への動作を後退ということにする。
【００３２】
アクチュエータロッド２８を初期位置から進めて可変内圧吸収膜２７を内圧調整室１８内へ押し出すと、可変内圧吸収膜２７の張力が大きくなって内圧吸収能が低くなり、防振装置としての拡張バネを大きくし、ホールオリフィス１３の共振周波数を高くする。
【００３３】
逆に、後退させて初期位置に戻して可変内圧吸収膜２７の張力を下げると、拡張バネが小さくなり、ホールオリフィス１３の共振周波数を低くくする。なお、可変内圧吸収膜２７とブラケット５の間は、可変内圧吸収膜２７の動作を容易にするための大気開放空間３４になっている。
【００３４】
可変内圧吸収膜２７の内圧吸収能調節は多段階または連続的のいずれにも制御できる。このための駆動手段の一例であるモーター３３は図示しない制御手段によって出力を制御され、制御手段によって指令された量だけ正逆回転することによりアクチュエータロッド２８を対応量進退させて可変内圧吸収膜２７の膜張力を調整して内圧吸収能を変化させる。本実施例における可変内圧吸収膜２７の膜張力は３段階に制御でき、その結果、内圧吸収能も３段階に調節できるようになっている。この設定については後述する。
【００３５】
モーター３３はブラケット５の外部に形成された棚部３５に適宜手段で取り付けられている。モーター３３の制御はエンジンの運転状況を的確に示すエンジンの回転数に基づいて行うことができる。但し、エンジンの回転数以外の他の適宜センサー量に基づいてもよい。なお、駆動手段はモーターに限定されず、ソレノイドやエンジンの吸気負圧等公知の種々な手段が可能である。
【００３６】
図２は、可変内圧吸収膜２７と遊び膜２５の関係を示し、図１のＡ矢示方向から両部材を示したものである。この図から明らかなように、遊び膜２５は略長方形をなし、可変内圧吸収膜２７は遊び膜２５の中央に重なる円形をなす。これにより、可変内圧吸収膜２７に対する遊び膜２５の面積比が１：２〜３程度になっている。このようにすると、可変内圧吸収膜２７を可変制御駆動するモーター３３の出力を比較的小さくしても、より大きな面積の遊び膜２５を動作させることができる。
【００３７】
次に、可変内圧吸収膜２７における内圧吸収能の設定方法を説明する。図３は３段階の拡張バネにおけるホールオリフィス１３の共振点変化を示す図であり、横軸に周波数、縦軸に動バネを示し、各曲線の極小点が共振点である。この図から明らかなように、拡張バネが小−中−大と変化すると、それぞれの共振点が約４５Ｈｚ、約６０Ｈｚ、約９０Ｈｚになる。
【００３８】
この拡張バネは可変内圧吸収膜２７の膜張力を変化させることにより内圧吸収能調整を実現できる。そこで、この共振点変化に対応する拡張バネが得られるように可変内圧吸収膜２７の膜張力を設定する。本実施例における可変内圧吸収膜２７の膜張力は３段階に制御でき、これに伴って内圧吸収能も３段階に制御できる。
【００３９】
約９０Ｈｚの共振点を実現する拡張バネとなる最大膜張力を例えば２０ｋｇ／ｃｍ２、とすれば、拡張バネが中に対しては、膜張力を１０ｋｇ／ｃｍ２、拡張バネが小に対しては６ｋｇ／ｃｍ２、とすることにより、膜張力を３段階に切替え、内圧吸収能を３段階に調節することにより、共振点を約４５Ｈｚ、約６０Ｈｚ、約９０Ｈｚと変化させることができる。
【００４０】
次に、本実施例の作用を説明する。発進時において、可変内圧吸収膜２７の膜張力が当初は小の段階に設定され、内圧吸収能は高となり、ホールオリフィス１３は約４５Ｈｚで液柱共振を発生して入力振動を吸収する。その後、エンジンの回転数が大きくなるにしたがって主液室６への入力振動の周波数が増大し、この周波数の増大に応じてモーター３３が回転制御され、可変内圧吸収膜２７の膜張力を中及び大へ切替え制御し、内圧吸収能を中及び低に調整する。なお、設定によっては拡張バネをほぼゼロ（０）まで下げることもできる。この場合には著しく低動バネにすることができる。
【００４１】
これにより、拡張バネを切替え制御して共振点を約６０Ｈｚ及び約９０Ｈｚへ段階的に変化させる。その結果、約４５〜約９０Ｈｚの範囲で、可変内圧吸収膜２７の内圧吸収能を３段階に切替え制御し、これに応じて拡張バネを３段階に切替え制御して、ホールオリフィス１３の共振点を３段階に変化させて共振領域を広範囲にする。
【００４２】
しかも、共振点の変化に応じて位相も変化する。図４はこの位相変化を示す図であり、横軸に周波数、縦軸に位相を示し、各曲線は拡張バネの大中小の３段階に対応する位相曲線であり、その極大値が各拡張バネで発生する最大位相である。この図に明らかなように、共振周波数が増大するにしたがって最大位相も波線で示すようにほぼ直線的に増大する。本実施例の予測最大位相は、拡張バネが小中大と変化するのに対応して、約７０ｄｅｇ台、約９０ｄｅｇ台、約１００ｄｅｇ以上に変化する。
【００４３】
この結果、広範囲の周波数域（約４５〜９０Ｈｚ）で、比較的大きな位相を発生することができ、位相制御の必要な振動、例えば、車体振動を抑制できる。しかも、このような共振領域の広域化及び比較的大きな位相の発生を、一つのホールオリフィス１３だけで実現でき、各共振点に応じた複数のオリフィスを設ける必要がないから、構造が簡単になる。しかもエンジンの回転数に応じて制御すれば、エンジンの運転状況に応じて正確に共振周波数や位相を追随変化させることができる。
【００４４】
また、遊び膜２５を設け、初期状態でたるませてあるので、小振幅の振動入力に対しては遊び膜２５は殆どばね弾性を有さず、低動バネ状態を維持できる。一方、大きな振幅の振動が入力すると、遊び膜２５はたるみのとれた段階からばね性を発揮する。このため、遊び膜２５が内圧増大分を受け止め、液体の可変内圧吸収膜２７側へ逃げる量を少なくするので、ダンピング特性を良好にすることができる。
【００４５】
そのうえ、遊び膜２５と可変内圧吸収膜２７との間を液体が封入された内圧調整室１８とし、この内圧調整室１８に臨む可変内圧吸収膜２７の面積よりも、遊び膜２５の主液室に臨む面積を大きくしたので、比較的小面積の可変内圧吸収膜２７で比較的大面積の遊び膜２５を作動させるようになるから、可変内圧吸収膜２７を制御する力を比較的小さくできることになり、その分だけモータ−３３の小型・軽量かつコストダウンが可能になる。
【００４６】
次に、第２実施例を説明する。なお、前実施例と共通する部分には共通符号を用い、原則として共通部の重複説明は省略すものとする。図５〜図７は第２実施例に係り、図５は液封防振装置の全体断面図、図６は図５の６−６線相当断面、図７は図５においてアイドル時の作動を示す図である。
【００４７】
図５に示すように、この実施例のエンジンマウントは、仕切部材７が上下部材７ａ及び７ｂの上下合わせ構造になっており、その内部にはホールオリフィスに代わってアイドルオリフィス４０が設けられている。アイドルオリフィス４０は主液室６と副液室９を連通してアイドル時のエンジン振動周波数（約２０Ｈｚ前後）で液柱共振を発生して低動バネ化することにより、第１の取付部材２側から第２の取付部材３側への振動伝達を遮断する。
【００４８】
アイドルオリフィス４０の副液室９側の出口４１は第１ダイアフラム４２の中央部に形成された開閉バルブ４３で開閉自在であり、アイドル周波数域でのみ開き、それ以外では閉じている。開閉バルブ４３は押し付け部材４４の伸縮によって開閉される。第１ダイアフラム４２はダイアフラム１０と同様に副液室９を覆うが中央に開閉バルブ４３を一体化している点が異なる。
【００４９】
押し付け部材４４と底部４５との間に負圧室４６が形成され、通気ノズル４７を介して吸気負圧と大気とを接続切替えするようになっている。吸気負圧が適用されると、リターンバネ４８に抗して図の下方へ移動して開閉バルブ４３が出口４１を開き、吸気負圧を遮断して大気開放すると、リターンバネ４８により図の上方に移動して出口４１を閉じる。
【００５０】
第２の取付部材３を構成する内側筒状部材１６の一部で、可変内圧吸収膜２７と対向する位置にホールオリフィス１３が形成されている。このホールオリフィス１３は内側筒状部材１６に形成された開口５０とこれを覆う弾性膜５１で構成される。ホールオリフィス１３近傍における内側筒状部材１６と外側筒状部材１７の間はホールオリフィス作動室５２をなし、ここに作動液が封入され、かつ第２ダイアフラム５３が臨んでいる。
【００５１】
第２ダイアフラム５３は外側筒状部材１７に形成された開口５４を覆い、第２ダイアフラム５３とブラケット５との間に負圧室５５を設け、通気ノズル５６により吸気負圧と大気とを接続切替えするようになっている。本実施例の場合は負圧室４６と連動して切替え制御される。
【００５２】
吸気負圧が適用されると、第２ダイアフラム５３をブラケット５側へ吸引固定して弾性膜５１を剛の状態とし、吸気負圧を遮断して大気開放すると第２ダイアフラムをフリーにして柔の状態にする。なお、第２ダイアフラム５３がフリーであれば、ホールオリフィス作動室５２内の作動液は弾性膜５１の変形に応じて内圧を一定に維持できる。
【００５３】
可変内圧吸収膜２７側の構造は前実施例と同様である。可変内圧吸収膜２７の内圧吸収能は、開閉バルブ４３及びホールオリフィス１３における弾性膜５１の制御と関連させて制御するようになっている。
【００５４】
図６は図５の６−６線相当断面であり、内圧調整室１８とホールオリフィス作動室５２は、内側筒状部材１６と外側筒状部材１７の間に形成される同一空間に設けられ、ホールオリフィス１３近傍位置にて内側筒状部材１６を覆う筒状弾性壁１５のうち外周側部分から径方向外方へ一体に突出するシール突起６０が外側筒状部材１７を覆う被覆１９の内周側へ密接することにより、２室を区画している。
【００５５】
次に、本実施例の作用を説明する。図７に示すように、アイドル時には、開閉バルブ４３が開いてアイドルオリフィス４０が主液室６と副液室９を連通し、同時に負圧室５５を負圧にして第２ダイアフラム５３をブラケット５側へ吸着固定するる。このため弾性膜５１が剛の状態になり、アイドルオリフィス４０に対する液体流量を多くして共振効率を大きくする。
【００５６】
逆に、アイドル時以外では、開閉バルブ４３が閉じ、同時に第２ダイアフラム５３をフリーにする。このため弾性膜５１が柔の状態になり、主液室６の内圧変動を弾性変形により吸収し、低動バネにする。
【００５７】
その後、振動の周波数が上がると、可変内圧吸収膜２７の制御が前実施例同様に行われる。このため、ダンピングオリフィス８、アイドルオリフィス４０及びホールオリフィス１３の３つを使って、約１０〜９０Ｈｚ程度の広範な周波数域において共振域とすることができる。しかもホールオリフィス１３を主液室６の側壁側に設けることにより、アイドルオリフィス４０と併設できる。また、内側筒状部材１６と外側筒状部材１７の間に形成される空間に内圧調整室１８とホールオリフィス作動室５２を効率的に設けることができる。
【００５８】
なお、本願発明は上記各実施例に限定されず、種々に変更可能である。例えば、可変内圧吸収膜２７のが、内圧吸収能調整段数をより多段階にすることができる。この場合は吸気負圧や電磁石及びソレノイド等による駆動が好適である。また、無段階に連続変化させることができ、この場合は実施例のようなモーター駆動が適している。また、エンジンマウント以外の他の各種防振装置に適用することもできる。
【図面の簡単な説明】
【図１】第１実施例に係る液封防振装置の全体断面図
【図２】図１のＡ矢示方向図
【図３】拡張バネの変化に伴う共振点の変化を示す図
【図４】拡張バネの変化に伴う位相の変化を示す図
【図５】第２実施例に係る液封防振装置の全体断面図
【図６】図５の６−６線相当断面
【図７】図５においてアイドル時の作動を示す図
【符号の説明】
１：エンジンマウント小組体、２：第１の取付部材、３：第２の取付部材、４：インシュレータ、５：ブラケット、６：主液室、７：仕切部材、８：ダンピングオリフィス、９：副液室、１０：ダイアフラム、１３：ホールオリフィス、１８：内圧調整室、２４：作動室、２５：遊び膜、２７：可変内圧吸収膜、２８：アクチュエータロッド、３３：モーター、４０：アイドルオリフィス、４２：第２ダイアフラム、４３：開閉バルブ、４６：負圧室、５２：ホールオリフィス作動室、５５：負圧室
【図１】
2004324825.tif 000003
【図２】
2004324825.tif 000004
【図３】
2004324825.tif 000005
【図４】
2004324825.tif 000006
【図５】
2004324825.tif 000007
【図６】
2004324825.tif 000008
【図７】
2004324825.tif 000009